(57)【要約】      （修正有）【課題】軽く、腐食しにくく、艶があり、外観が美しく、使用寿命が長く、加熱中に食品が表面に焦げ付くことを防ぐアルミニウム合金製ステーキ皿を提供する。【解決手段】アルミニウム合金製ステーキ皿１は、矩形状の皿底部１１、側面１２からなる皿本体１を含み、皿本体１の側面１２が内円弧２１および外円弧２２を連接してなり、内円弧２１が皿底部１１に連なり、皿開口部が外へ向けて開放する形状を呈する。皿本体１の表面には酸化膜が形成され、皿本体の内面にある酸化膜上に焦げ付き防止塗膜が形成されている。【選択図】図２
0003163421.tif 000002
【実用新案登録請求の範囲】
【請求項１】
皿底部と、皿底部を囲む側面からなる皿本体を含むアルミニウム合金製ステーキ皿において、前記皿本体の側面が内円弧および外円弧を連接してなり、内円弧が皿底部に連なり、皿開口部が外へ向けて開放する形状を呈し、前記皿本体の表面に酸化膜が形成されており、皿本体の内面にある酸化膜上に焦げ付き防止塗膜が形成されていることを特徴とする、アルミニウム合金製ステーキ皿。
【請求項２】
請求項１に記載のアルミニウム合金製ステーキ皿において、前記酸化膜は、厚さが１０〜７０ミクロンであることを特徴とする、アルミニウム合金製ステーキ皿。
【考案の詳細な説明】
【技術分野】
【０００１】
本考案は、台所で食品を作製および加工するための器具に関し、特にアルミニウム合金製ステーキ皿に関する。
【背景技術】
【０００２】
従来のステーキ皿は、伝統的に使用されている炊事用具と同様に、単一の金属材料、例えば鉄を使用しており、鉄製のステーキ皿にあっては、保温性が良く材料も安価であるが、腐食しやすく、相当の重量がある。また、加熱調理中、食品が皿の表面に貼り付いたり、焦げたりすることを防止するために、一部のステーキ皿には、表面に焦げ付き防止層が塗布により形成されているものがあるが、過熱により塗膜にひびが入ったり、塗膜が剥離し易い。さらに、一部のステーキ皿には、複合材料が使用され、性能が優れているものがあるが、コストがあまりに高い等の、多くの欠点がある。
【考案の概要】
【考案が解決しようとする課題】
【０００３】
本考案は、従来技術の欠点を解消し、軽く、腐食しにくく、艶があり、外観が美しく、使用寿命が長く、加熱中に食品が表面に焦げ付くことを防止する、アルミニウム合金製ステーキ皿を提供することを目的とする。
【課題を解決するための手段】
【０００４】
上記の課題を解決するために、本考案の目的は、下記を通じて実現される。アルミニウム合金製ステーキ皿は、矩形状または円形の皿底部、側面からなる皿本体を含み、皿本体の側面がすべて内円弧および外円弧を連接してなり、内円弧が皿底部に連なり、皿開口部が外へ向けて開放する形状を呈し、皿本体の表面に酸化膜が形成されており、皿本体の内面にある酸化膜上に焦げ付き防止塗膜が形成されていることを特徴とする。
また、本考案の好ましい実施の形態において、上記酸化膜は、厚さが１０〜７０ミクロンである。
【考案の効果】
【０００５】
従来の技術に比べ、本考案によるアルミニウム合金製ステーキ皿は、皿開口部が外へ向けて開放する形状を呈するので、座って食事する利用者が牛肉その他の食肉を焼きやすいようにしている。皿本体の表面に酸化膜が形成され、皿の内面には焦げ付き防止塗膜が形成されており、酸化膜は、それ自体極めて硬く、高温と腐食に耐えるので、その表面に焦げ付き防止塗膜が形成されたとき、焦げ付き防止塗膜の脆弱性が大幅に改善され、焦げ付き防止塗膜の亀裂や剥れが生じにくくなり、焦げ付き防止塗膜により良くその機能を発揮させることができる。本考案によるアルミニウム合金製ステーキ皿は、外観が美しく、軽いだけでなく、使用寿命が長いことから、消費者から広く受け入れられるものである。
【０００６】
上記した本考案の目的および利点並びに他の目的および利点は、以下の実施の形態の説明を通じてより明確に理解される。もっとも、以下に記述する実施の形態は例示であって、本考案はこれらに限定されるものではない。
【図面の簡単な説明】
【０００７】
【図１】本考案の一実施の形態に係るステーキ皿の構成を示す平面図である。
【図２】図１のＡ−Ａ線の断面図である。
【図３】本考案の一実施の形態に係るステーキ皿の皿底部の拡大断面図である。
【考案を実施するための形態】
【０００８】
以下、図面を参照しながら具体的な実施の形態についてさらに詳しく説明する。
【０００９】
図１及び図２は、本考案の一実施の形態に関し、特に平面図において矩形状を呈するアルミニウム合金製ステーキ皿を示す平面図、及び図１のＡ−Ａ線の断面図である。図中において、アルミニウム合金製ステーキ皿１は、矩形状の皿底部１１、４つの側面１２からなる皿本体１を含み、皿本体１の４つの側面がすべて内円弧２１および外円弧２２を連接してなり、内円弧２１が皿底部１１に連なり、皿開口部が外へ向けて開放する形状を呈する。このような底の浅い皿形状は、座って食事する利用者が牛肉その他の食肉を焼くのに特に適している。
【００１０】
図３は、図１に示すアルミニウム合金製ステーキ皿１のうち、皿底部１１の拡大断面図である。本考案の皿本体１は、基本構成材料にアルミニウム合金を使用し、皿本体１のアルミニウム合金製の表面１１ａには、アルミニウムの酸化膜３が、陽極酸化処理法その他の酸化法や塗布法等により形成されており、特に、皿本体１の内面にある酸化膜３上には、さらに焦げ付き防止塗膜４が塗布プロセスにより形成されている。焦げ付き防止塗膜４は、セラミックス塗料の塗布により形成したものでも、有機シリコン系塗料の塗布によって形成したものであってもよい。酸化膜３は、厚さが１０〜７０ミクロン、好ましくは１５〜６５ミクロンである。酸化膜の厚さが１０ミクロン未満であると、膜の強度不足やピンホールが発生し、皿本体の腐食や、焦げ付き防止塗膜のひび割れや剥れを、有効に防げない場合がある。他方、厚さが７０ミクロンを超える酸化膜の形成は、工業上コスト高になる可能性がある。また、酸化膜上に形成される焦げ付き防止塗膜４は、厚さが１０〜１５ミクロンである。この焦げ付き防止塗膜の塗布厚さは例示であって、特に限定するものではない。酸化膜３は、その上の焦げ付き防止塗膜４に焦げ付き防止特性を効率良く発揮させるために有利に働き、皿本体の腐食も防ぐ。
【００１１】
上記の実施の形態は、本考案を制限するものではない。例えば、平面図において矩形状を呈するアルミニウム合金製ステーキ皿の例を示したが、円形、楕円形その他の形状を呈するものであっても、同様の効果を奏しうることは明らかである。また、皿本体を構成するアルミニウム合金材料に関し、アルミニウム以外の合金成分元素の種類及び成分比（重量％）は、これらを特に限定するものではない。実用新案登録請求の範囲に記載された本考案の本質を逸脱することなく、一部を置き換え、或いは、変更して得られる構成は、すべて本考案の保護範囲に含まれる。
【産業上の利用可能性】
【００１２】
本考案は、軽く、腐食しにくく、艶があり、外観が美しく、使用寿命が長く、加熱中に食品が表面に焦げ付くことを防止するステーキ皿に好適である。
【符号の説明】
【００１３】
１  皿本体
１１  皿底部
１２  側面
３  酸化膜
４  焦げ付き防止塗膜
【図１】
0003163421.tif 000003
【図２】
0003163421.tif 000004
【図３】
0003163421.tif 000005